(57)【要約】【課題】ショーケースシステムの構築に要するコストを抑制できるショーケースの制御装置を提供すること。【解決手段】集中管理コントローラ４とともに、ショーケースシステムを構築するショーケースの制御装置２０において、設定されたデータに基づいてショーケースを制御するとともに、ショーケースを親機あるいは子機に設定可能であって、ショーケースを親機に設定した場合に集中管理コントローラ４からの要求に応答する一方、子機に設定されたショーケースに応答を要求し、ショーケースを子機に設定した場合に親機に設定したショーケースからの要求に応答するので、運転系列ごとに一台のショーケースを親機に設定するとともに他のショーケースを子機に設定すれば、ショーケースシステムの構築に要するコストを抑制できる。【選択図】図２
2012122669.tif 000002
【特許請求の範囲】
【請求項１】
集中管理コントローラとともに、ショーケースシステムを構築するショーケースの制御装置において、
設定されたデータに基づいてショーケースを制御するとともに、ショーケースを親機あるいは子機に設定可能であって、
ショーケースを親機に設定した場合に前記集中管理コントローラからの要求に応答する一方、子機に設定されたショーケースに応答を要求し、
ショーケースを子機に設定した場合に親機に設定したショーケースからの要求に応答することを特徴とするショーケースの制御装置。
【請求項２】
親子関係を設定する設定制御部と、
前記設定制御部から入力された親子関係を管理する設定管理部と、
設定管理部が管理する親子関係が「親」に設定してある場合に、前記集中管理コントローラからの要求に応答する一方、設定管理部が「子」に設定してあるショーケースに応答を要求し、設定管理部が管理する親子関係が「子」に設定してある場合に、設定管理部が「親」に設定してあるショーケースからの要求に応答する通信部と
を備えたことを特徴とする請求項１に記載のショーケースの制御装置。
【発明の詳細な説明】
【技術分野】
【０００１】
本発明は、複数台のショーケースを管理するショーケースシステムの構築に好適なショーケースの制御装置に関する。
【背景技術】
【０００２】
図４および図５は、公知のショーケースシステムを展開した店舗構成例を示す図である。図４および図５に示すショーケースシステム１０１，２０１は、複数台のショーケース１０２，２０２、複数台の冷凍機１０３，２０３、集中管理コントローラ１０４，２０４により構成されている。そして、図４に示すショーケースシステム１０１において、複数台のショーケース１０２、複数台の冷凍機１０３は、個別に集中管理コントローラ１０４に接続され、集中管理コントローラ１０４において運転状態が管理され、複数台のショーケース１０２を同期制御する（たとえば、特許文献１参照）。
【０００３】
また、図５に示すショーケースシステム２０１において、複数台のショーケース２０２は、運転系列ごとに設置された中継器２０５に接続され、中継器２０５を経由することにより、集中管理コントローラ２０４において運転状態が管理され、複数台のショーケース２０２を同期制御する（たとえば、特許文献２参照）。
【０００４】
さらに、ショーケースシステムにおいて、運転系列が同一となる複数台のショーケースのうちの一台を親機に設定するとともに、運転系列が同一となる複数台のショーケースを順次接続することにより、運転系列が同一となる複数台のショーケースに親子関係を構築し、親機に設定したショーケースに運転系列が同一となるショーケースを統括的に制御させるものが知られている（たとえば、特許文献３参照）。
【先行技術文献】
【特許文献】
【０００５】
【特許文献１】特開２００９−２３６３５８号公報
【特許文献２】特開平８−６１８２２号公報
【特許文献３】特開平７−２８０４０９号公報
【発明の概要】
【発明が解決しようとする課題】
【０００６】
しかしながら、図４に示したショーケースシステム１０１は、集中管理コントローラ１０４とショーケース１０２、ショーケース１０２とショーケース１０２の順に、渡り配線する必要があるため、配線コストが増大し、ショーケースシステムの構築に要するコストを抑制できない。
【０００７】
また、大型店舗では、設置するショーケース１０２の台数が多大なものとなり、集中管理コントローラ１０４とショーケース１０２との間における通信帯域を確保するために中継器（図示せず）を設置する必要が生じるなど、ショーケースシステムの構築に要するコストを抑制できない。
【０００８】
また、図５に示したショーケースシステム２０１は、運転系列ごとに中継器２０５を必要とするので、運転系列が増えると増えた系列分の中継器２０５が必要となり、ショーケースシステムの構築に要するコストを抑制できない。
【０００９】
また、上述した特許文献３に開示されたショーケースシステムは、親機に設定したショーケースに系列制御用の制御管理ユニットを搭載する必要があるため、運転系列が増えると親機となるショーケースの台数分の制御管理ユニットが必要となり、ショーケースシステムの構築に要するコストを抑制できない。
【００１０】
本発明は、上記に鑑みてなされたものであって、ショーケースシステムの構築に要するコストを抑制できるショーケースの制御装置を提供することを目的とする。
【課題を解決するための手段】
【００１１】
上述した課題を解決し、目的を達成するために、本発明は、集中管理コントローラとともに、ショーケースシステムを構築するショーケースの制御装置において、設定されたデータに基づいてショーケースを制御するとともに、ショーケースを親機あるいは子機に設定可能であって、ショーケースを親機に設定した場合に前記集中管理コントローラからの要求に応答する一方、子機に設定されたショーケースに応答を要求し、ショーケースを子機に設定した場合に親機に設定したショーケースからの要求に応答することを特徴とする。
【００１２】
また、本発明は、親子関係を設定する設定制御部と、前記設定制御部から入力された親子関係を管理する設定管理部と、設定管理部が管理する親子関係が「親」に設定してある場合に、前記集中管理コントローラからの要求に応答する一方、設定管理部が「子」に設定してあるショーケースに応答を要求し、設定管理部が管理する親子関係が「子」に設定してある場合に、設定管理部が「親」に設定してあるショーケースからの要求に応答する通信部とを備えたことを特徴とする。
【発明の効果】
【００１３】
本発明にかかるショーケースの制御装置は、設定されたデータに基づいてショーケースを制御するとともに、ショーケースを親機あるいは子機に設定可能であって、ショーケースを親機に設定した場合に集中管理コントローラからの要求に応答する一方、子機に設定されたショーケースに応答を要求し、ショーケースを子機に設定した場合に親機に設定したショーケースからの要求に応答するので、運転系列ごとに一台のショーケースを親機に設定するとともに他のショーケースを子機に設定すれば、集中管理コントローラとショーケース、ショーケースとショ−ケースの順に、渡り配線する必要がない。また、集中管理コントローラとショーケースとの間における通信帯域を確保するために、中継器を設置する必要もない。また、親機に設定したショーケースに系列制御用の制御管理ユニットを搭載する必要もない。これにより、ショーケースシステムの構築に要するコストを抑制できる。
【図面の簡単な説明】
【００１４】
【図１】図１は、複数台のショーケースを管理するショーケースシステムを展開した店舗構成例を示す図である。
【図２】図２は、本発明の実施の形態であるショーケースの制御装置の構成例を示す図であって、親機に設定した例を示す図である。
【図３】図３は、本発明の実施の形態であるショーケースの制御装置の構成例を示す図であって、子機に設定した例を示す図である。
【図４】図４は、公知のショーケースシステムを展開した店舗構成例を示す図である。
【図５】図５は、公知のショーケースシステムを展開した店舗構成例を示す図である。
【発明を実施するための形態】
【００１５】
以下に、本発明にかかるショーケースの制御装置の実施の形態を図面に基づいて詳細に説明する。なお、この実施の形態によりこの発明が限定されるものではない。
【００１６】
図１は、複数台のショーケースを管理するショーケースシステムを展開した店舗構成例を示す図である。ここで例示する店舗は、スーパーマーケット、コンビニエンスストアなどの店舗であって、図１に示すように、複数台のショーケース２、複数台の冷凍機３、集中管理コントローラ４が設置してある。
【００１７】
ショーケース２は、冷凍食品、生鮮食品（鮮魚、精肉）、飲料などの商品を陳列販売するためのもので、陳列販売する商品ごとにグループ化してある。たとえば、スーパーマーケットでは、鮮魚コーナー、精肉コーナー、飲料コーナーのように、陳列販売する商品の管理温度、商品の種別で販売エリアを区分けしており、図１に示すショーケースシステム１でもこの単位でグループ化してある。
【００１８】
冷凍機３は、ショーケース２に冷媒を供給するものであり、複数台の冷凍機３ですべてのショーケース２に冷媒を供給する。
【００１９】
集中管理コントローラ４は、複数台のショーケース２、複数台の冷凍機３を統括的に制御するものであり、ショーケース２はグループＧごとに集中管理コントローラ４に接続され、冷凍機３は個別に集中管理コントローラ４に接続されている。より詳細には、グループＧごとに一台のショーケース２が集中管理コントローラ４に渡り配線され、冷凍機３が集中管理コントローラ４に渡り配線されている。
【００２０】
図２および図３は、本発明の実施の形態であるショーケースの制御装置の構成例を示す図であって、図２は、親機に設定した例を示す図であり、図３は、子機に設定した例を示す図である。
【００２１】
図２および図３に示すように、ショーケース２の制御装置２０は、ショーケース２を統括的に制御するためのもので、ファームウェアにより構成してあり、温調制御管理部２１、設定値管理部２２、ケースデータ管理部２３、表示器制御部２４、上位通信部２５、下位通信部２６を有している。
【００２２】
温調制御管理部２１は、設定値管理部２２で管理している設定値とショーケース２の各部位に設置した温度センサ（図示せず）の計測値とを参照して電磁弁（図示せず）やファン（図示せず）を制御することにより、ショーケース２の庫内温度を適正に制御するためのもので、設定値管理部２２から設定データを受け取り、表示器制御部２４、上位通信部２５から制御指示を受ける。そして、表示器制御部２４、上位通信部２５から制御指示（たとえば、強制除霜など）を受けた場合には、直ちに制御状態を変更する。
【００２３】
設定値管理部（設定管理部）２２は、ショーケース２の制御に必要な設定値を管理するためのもので、たとえば、親子設定、管理温度データを管理している。また、設定値管理部２２は、表示器制御部２４、上位通信部２５から設定指示を受ける一方、温調制御管理部２１、表示器制御部２４に設定データを送り、上位通信部２５に局番設定を送る。そして、表示器制御部２４、上位通信部２５から設定指示を受けた場合には、設定値の整合を確認した上で、ＦＬＡＳＨ−ＲＯＭなどの不揮発メモリ（図示せず）に設定値を保存して管理する。
【００２４】
表示器制御部（設定制御部）２４は、ショーケース２に設けた表示器（図示せず）を制御するためのもので、設定値管理部２２から設定指示を受け、上位通信部２５から制御指示を受ける一方、温調制御管理部２１に制御指示を送り、設定値管理部２２に設定指示を送る。また、下位通信部２６に設定指示と制御指示とを送る。そして、設定値管理部２２に局番設定が送られると、設定値の整合を確認した上で、ＦＬＡＳＨ−ＲＯＭなどの不揮発メモリに設定値を保存して管理するとともに、局番設定を上位通信部２５に送る。
【００２５】
また、表示器制御部２４は、ショーケース２に設けたキースイッチ（図示せず）からの設定・制御操作を受け付ける一方、表示器に各種データを表示する。キースイッチから入力される設定・制御操作は、通信の親子設定や局番設定のほかに温調制御に関するものである。
【００２６】
そして、図２に示すように、ショーケース２が親機に設定してある場合に、ショーケース２に設けたキースイッチから子機に対する操作を受け付けると、下位通信部２６にコマンドの発行を依頼し、自局番（自身）に対する操作を受け付けると、温調制御管理部２１と設定値管理部２２に指示を送る。一方、表示器に表示するデータは、ケースデータ管理部２３で管理しているケースデータや設定値管理部２２で管理している設定データなどである。なお、設定値管理部２２を参照し、親子設定が「親」に設定してある場合は、設定・制御項目を自局番（自身）の情報のほか、「子」に設定してある他局番の情報とする。一方、設定値管理部２２を参照し、親子設定が「子」に設定してある場合は、設定・制御項目を自局番（自身）の情報とする。
【００２７】
上位通信部（通信部）２５は、図２に示すように、ショーケース２が親機に設定してある場合に集中管理コントローラ４との間で情報を送受信する一方、図３に示すように、ショーケース２が子機に設定してある場合に親機に設定してあるショーケース２との間で情報を送受信するためのものである。そして、図２に示すように、ショーケース２が親機に設定してある場合に集中管理コントローラ４から要求を受信し、応答を送信する。一方、図３に示すように、ショーケース２が子機に設定してある場合に親機に設定してあるショーケース２から要求を受信し、応答を送信する。また、ショーケース２が親機に設定してある場合、子機に設定してある場合のいずれの場合にも、ケースデータ管理部２３からケースデータを受け取る一方、設定値管理部２２に設定指示を送り、温調制御管理部２１に制御指示を送る。また、下位通信部２６に設定指示と制御指示とを送る。
【００２８】
具体的には、設定値管理部２２を参照し、親子設定が「親」に設定してある場合は、図２に示すように、集中管理コントローラ４からコマンドが送信されるのを待つ。そして、集中管理コントローラ４からコマンドを受信した場合は、コマンドに対応した応答を返信する。コマンドがケースデータの問い合わせ要求であれば、ケースデータ管理部２３で管理しているデータを応答として返信する。コマンドが子機に対する設定指示、制御指示であれば、下位通信部２６にコマンドの発行を依頼する。また、コマンドが自局番（自身）に対する設定指示、制御指示である場合には、温調制御管理部２１と設定値管理部２２とに指示を送る。
【００２９】
一方、親子設定が「子」に設定してある場合は、図３に示すように、親機に設定してあるショーケース２からコマンドが送信されるのを待つ。そして、親機に設定してあるショーケース２からコマンドを受信した場合は、コマンドに対応した応答を返信する。コマンドがケースデータの問い合わせ要求であれば、ケースデータ管理部２３で管理しているデータを応答として返信する。コマンドが自局番（自身）に対する設定指示、制御指示である場合には、温調制御管理部２１と設定値管理部２２とに指示を送る。
【００３０】
ケースデータ管理部２３は、温調制御管理部２１から渡されたケースデータと下位通信部２６から渡されたケースデータ（グループを構成するショーケースの全データ）をＲＡＭ（図示せず）上で管理するためのもので、温調制御管理部２１、下位通信部２６からケースデータを受け取る一方、表示器制御部２４、上位通信部２５にケースデータを送る。そして、管理しているケースデータは、表示器制御部２４、上位通信部２５で使用される。
【００３１】
下位通信部（通信部）２６は、ショーケース２が親機に設定してある場合に子機に設定してあるショーケース２との間で情報を送受信するためのものである。なお、図３に示すように、ショーケース２が子機に設定してある場合には下位通信部２６は通信を行わない。そして、図２に示すように、ショーケース２が親機に設定してある場合は、子機に設定してあるショーケース２に対してケースデータの問い合わせを定周期に行う。そして、収集したデータは、ケースデータ管理部２３において管理する。また、集中管理コントローラ４から子機に設定してあるショーケース２に対してコマンド発行依頼を受けた場合には、コマンドを発行し、子機に設定してあるショーケース２に送信する。
【００３２】
上述した実施の形態である制御装置２０を搭載したショーケース２において、ショーケース２の局番、親子関係、管理温度データは、キースイッチを操作することにより、表示器制御部２４において設定する。そして、設定されたショーケース２の局番、親子関係、管理温度データは、表示器制御部２４から設定値管理部２２に送られる。すると、設定値管理部２２は、設定値の整合を確認した上で、ＦＬＡＳＨ−ＲＯＭなどの不揮発メモリに設定値を保存して管理する。
【００３３】
また、ショーケースにおいて、設定値管理部２２で管理している設定データは、キースイッチの操作により、設定値管理部２２から表示器制御部２４に送られ、表示器制御部２４が表示器に表示する。また、同様に、ケースデータ管理部２３で管理しているケースデータは、キースイッチの操作により、ケースデータ管理部２３から表示器制御部２４に送られ、表示器制御部２４が表示器に表示する。
【００３４】
また、ショーケース２の温度は、温調制御管理部２１において制御する。具体的には、設定値管理部２２が管理している設定値とショーケース２の各部位に設置した温度センサの計測値とを参照して電磁弁やファンを制御することにより、ショーケース２の庫内温度を適正に制御する。
【００３５】
そして、温調制御管理部２１が参照したショーケース２の各部位に設置した温度センサの計測値は、ケースデータ管理部２３に受け渡され、ＲＡＭ上で管理される。
【００３６】
また、ショーケース２において、下位通信部２６は、設定値管理部２２を参照し、図２に示すように、親子設定が「親」に設定されている場合は、子機に設定してあるショーケース２に対してケースデータの問い合わせを定周期に行う。そして、下位通信部２６が子機に設定してあるショーケース２から収集したデータは、ケースデータ管理部２３に渡され、ＲＡＭ上で管理される。
【００３７】
集中管理コントローラ４からショーケース２に対してケースデータの問い合わせを行う場合には、集中管理コントローラ４がケースデータの問い合わせコマンドを送信する。親機に設定してあるショーケース２がケースデータの問い合わせコマンドを受信すると、上位通信部２５は、ケースデータ管理部２３が管理しているデータを応答として集中管理コントローラ４に送信する。
【００３８】
集中管理コントローラ４からショーケース２に対して制御指示、設定指示を行う場合には、集中管理コントローラ４が制御指示コマンド、設定指示コマンドを送信する。
【００３９】
親機に設定してあるショーケース２が自局番（自身）に対する制御指示コマンド、設定指示コマンドを受信した場合は、制御指示を温調制御管理部２１に送り、設定指示を設定値管理部２２に送る。そして、温調制御管理部２１が制御指示（たとえば、強制除霜）を受けた場合は、直ちに制御状態を変更する。また、設定値管理部２２が設定指示を受けた場合は、設定値の整合を確認した上で、ＦＬＡＳＨ−ＲＯＭなどの不揮発メモリに設定値を保存する。
【００４０】
一方、親機に設定してあるショーケース２が子機に対する制御指示コマンド、設定指示コマンドを受信した場合は、下位通信部２６に設定指示、制御指示を送り、下位通信部２６にコマンドの発行を依頼する。下位通信部２６は、設定指示コマンド、制御指示コマンドを発行し、子機に設定してあるショーケース２に設定指示コマンド、制御指示コマンドを送信する。
【００４１】
子機に設定してあるショーケース２が自局番（自身）に対する制御指示コマンド、設定指示コマンドを受信した場合は、制御指示を温調制御管理部２１に送り、設定指示を設定値管理部２２に送る。そして、温調制御管理部２１が制御指示（たとえば、強制除霜）を受けた場合は、ただちに制御状態を変更する。また、設定値管理部２２が設定指示を受けた場合は、設定値の整合を確認した上で、ＦＬＡＳＨ−ＲＯＭなどの不揮発メモリに設定値を保存する。
【００４２】
上述した本発明の実施の形態であるショーケース２の制御装置２０を構成する温調制御管理部２１は、設定値管理部２２が管理している設定値とショーケース２の各部位に設置した温度センサの計測値を参照して電磁弁を制御することにより、ショーケース２の庫内温度を適正に制御する。また、表示器制御部２４は、キースイッチからの親子設定操作を受け付け、設定値管理部２２の親子設定を「親」または「子」に設定する。そして、設定値管理部２２の親子設定が「親」に設定してある場合に上位通信部２５が集中管理コントローラ４からの要求に応答する一方、設定値管理部２２の親子設定が「子」に設定してあるショーケース２からの応答を要求する。また、設定値管理部２２の親子設定が「子」に設定してある場合に、設定値管理部２２の親子設定が「親」に設定してあるショーケース２からの要求に応答する。したがって、運転系列ごとに一台のショーケース２を親機に設定するとともに他のショーケース２を子機に設定すれば、集中管理コントローラ４とショーケース２、ショーケース２とショーケース２の順に、渡り配線する必要がない。また、集中管理コントローラ４とショーケース２との間における通信帯域を確保するために、中継器を設置する必要もない。また、親機に設定したショーケース２に系列制御用の制御管理ユニットを搭載する必要もない。これにより、ショーケースシステム１の構築に要するコストを抑制できる。
【符号の説明】
【００４３】
１    ショーケースシステム
２    ショーケース
２０    制御装置
２１    温調制御管理部
２２    設定値管理部（設定管理部）
２３    ケースデータ管理部
２４    表示器制御部（設定制御部）
２５    上位通信部（通信部）
２６    下位通信部（通信部）
３    冷凍機
４    集中管理コントローラ
Ｇ    グループ
【図１】
2012122669.tif 000003
【図２】
2012122669.tif 000004
【図３】
2012122669.tif 000005
【図４】
2012122669.tif 000006
【図５】
2012122669.tif 000007